(57)【要約】【課題】  手指が不自由となっている方や、手に力が入れ難い方であっても、円滑な筆記動作を安定的に行える筆具補助装置を提供する【解決手段】  筆具補助装置は、筆具を固定支持する筆具固定部と、前記筆具固定部に連結され、筆具使用者が手で把持する把持部と、前記筆具使用者が把持部を把持した際に、前記筆具使用者の手の合谷部分に当接して支持する支持補助部とを備え、前記把持部の把持中心軸が筆具固定部に対して、筆具先端方向に鋭角となるように連結される。【選択図】 図１
2018187886.tif 000002
【特許請求の範囲】
【請求項１】
筆具を固定支持する筆具固定部と、
前記筆具固定部に連結され、筆具使用者が手で把持する把持部と、
前記筆具使用者が把持部を把持した際に、前記筆具使用者の手の合谷部分に当接して支持する支持補助部とを備え、
前記把持部の把持中心軸が筆具固定部に対して、筆具先端方向に鋭角となるように連結されることを特徴とする
筆具補助装置。
【請求項２】
請求項１に記載の筆具補助装置において、
前記支持補助部が、当該支持補助部中心軸と前記把持部中心軸とが８０°〜１００°の角度で連結されていることを特徴とする
筆具補助装置。
【請求項３】
請求項１又は請求項２に記載の筆具補助装置において、
前記把持部及び前記支持補助部と、前記筆具固定部とが連結される位置が、前記把持部中心軸に直交し且つ前記支持補助部に支持される前記筆具使用者の合谷を通過する線分と、前記筆具固定部中心軸とが、交差する位置よりも、筆具先端方向を下向きとした場合に、上方にあることを特徴とする
筆具補助装置。
【請求項４】
請求項１〜３のいずれかに記載の筆具補助装置において、
前記支持補助部が、筆具使用者の合谷と当接する面が切欠形状から成る切欠部を有することを特徴とする
筆具補助装置。
【請求項５】
請求項１〜４のいずれかに記載の筆具補助装置において、
前記把持部が、重りを内部に収容することを特徴とする
筆具補助装置。
【請求項６】
請求項１〜５のいずれかに記載の筆具補助装置において、
前記把持部が、涙滴形状を有することを特徴とする
筆具補助装置。
【請求項７】
請求項１〜６のいずれかに記載の筆具補助装置において、
前記筆具固定部が、前記筆具に対して、着脱可能であることを特徴とする
筆具補助装置。
【発明の詳細な説明】
【技術分野】
【０００１】
本発明は、筆具を補助する筆具補助装置に関し、特に、疾患等により筆具をしっかりと持てない人にとっても、安定して円滑な筆記動作を実現できる筆具補助装置に関する。
【背景技術】
【０００２】
近年、疾患等によって鉛筆等の筆具が握れなくなった方々から、筆具を使って、文字を書きたいというニーズが高まっている。
【０００３】
このような疾患として、脳血管障害や慢性関節リウマチなどが挙げられ、このような疾患によって、手指の随意性低下、手指関節の変形、鉛筆を握る三面把持困難、筆圧不十分などの症状のため、書字動作（筆記動作）が困難になる人が多い。特にリウマチは、活発な社会的活動が要求される20才〜50才代での発病が認められ、書字能力を取り戻す必要に迫られているが、これら疾患は、機能回復が困難とされている。
【０００４】
この失われた書字能力を取り戻すために、不自由な手指でも筆具を握ることを意図した種々の形状のペングリップが提案されている。
【０００５】
このような従来の筆具補助装置としては、例えば、筆記具固定部とグリップ部とから成り、前記筆記具固定部は筆記具を挿通固定する貫通孔を有して細長形状に形成してあり、前記グリップ部は前記筆記具固定部の断面幅にほぼ等しい厚みの略長方形状に形成して前記筆記具固定部の下面中程に筆記具先端側に傾けて取り付けてあり、筆記具固定部の後端側下面とグリップ部の後端側辺部との交わる部分は親指と人指し指間の手肉形状に適合するような窪み形状に形成されたものがある（特許文献１参照）。
【先行技術文献】
【特許文献】
【０００６】
【特許文献１】特開２００９−８３３５９号公報
【発明の概要】
【発明が解決しようとする課題】
【０００７】
しかし、従来の筆具補助装置は、例えば、特許文献１に示されるように、筆記具と同程度の薄さの板状グリップ部を備えたピストル形状のものであり、特に親指と人差し指をある程度強く伸ばして閉じるような状態で力を入れて固定する「挟み持ち」をする必要があり、手指をすぼめる動作が不自由となっている方や、掴み動作に力が入れ難い方にとっては、依然として、弱い握りの力では、十分な筆記動作が行い難いという課題があった。すなわち、従来の筆具補助装置は、ある程度の力で手先をすぼめて固定することが前提となっており、手を弱い力で握った場合には、不安定な固定となってしまい、十分な筆記動作を行えるまでには至っていない。
また、この不安定さを補うために、グリップ部の後端側は親指と人指し指間の手肉形状に適合する窪み形状を形成し、手肉を食い込ませて握る必要がある。しかしこの食い込み位置が握りの基準点となるため、指先までの長さの長短の個人差により、指先を筆記具に沿えにくい場合がある。特に、リウマチ系の関節が曲がりにくい人は、曲げて長さ調節が出来ず、筆記具に指先が沿わない。
【０００８】
また、このように、従来の筆具補助装置は、ある程度の力が握り手に必要となることから明らかなように、その対象が主として硬筆用のものであって、その他の筆具に対しては使用適合性が限定されている。例えば、筆ペンのような先端が柔らかい筆具に対しては、弱い力で握った場合には、不安定な筆記動作となるために、筆特有の「とめ・はね・はらい」の運筆ができにくく、表現豊かな文字を書くには適していない。このようなことから、上記の患者や、高齢化に伴って筆記時の筆圧が変化している方にとっても、安定して文字を書くためのサポートができるまでには至っていない。
【０００９】
本発明は前記課題を解決するためになされたものであり、手指が不自由となっている方や、手に力が入れ難い方であっても、円滑な筆記動作を安定的に行える筆具補助装置の提供を目的とする。
【課題を解決するための手段】
【００１０】
本発明者は、鋭意研究の結果、握った手を安定的に固定できる方法を探究し、障害者の手指と健常者の手指を綿密に比較した結果、両者に共通して利用できる部位として、親指と示指との骨が合流する「動かない根元部分」（合谷部分に相当）を見出し、この部分に載せて馴染む形状を確定することにより、指の把持力を緩めても安定した位置を維持できるという従来には無い優れた筆具補助装置を導き出した。
【００１１】
かくして、本願に開示する筆具補助装置は、筆具を固定支持する筆具固定部と、前記筆具固定部に連結され、筆具使用者が手で把持する把持部と、前記筆具使用者が把持部を把持した際に、前記筆具使用者の手の合谷部分に当接して支持する支持補助部とを備え、前記把持部の把持中心軸が筆具固定部に対して、筆具先端方向に鋭角となるように連結されるものである。このように、前記把持部の把持中心軸が筆具固定部に対して、筆具先端方向に鋭角となり、且つ、筆具使用者の手の合谷部分が、前記支持補助部により支持されることから、筆具使用者が単に手を握った状態でしっかりと固定されることとなり、筆具使用者にとって、握り易く、単に手を握った状態のみによって、安定的に筆記動作を行えることができる。
【００１２】
本願に開示する筆具補助装置は、必要に応じて、前記支持補助部が、当該支持補助部中心軸と前記把持部中心軸とが８０°〜１００°の角度で連結されているものである。このように、前記支持補助部が、当該支持補助部中心軸と前記把持部中心軸とが８０°〜１００°の角度で連結されていることから、筆具使用者が前記把持部を握った際の合谷の位置が、前記支持補助部の位置と一致することとなり、筆具使用者の手が固定され易くなり、握った際のフィット感を高められ、筆具使用者にとって、握り易く、安定的に筆記動作を行えることができる。
【００１３】
本願に開示する筆具補助装置は、必要に応じて、前記把持部及び前記支持補助部と、前記筆具固定部とが連結される位置が、前記把持部中心軸に直交し且つ前記支持補助部に支持される前記筆具使用者の合谷を通過する線分と、前記筆具固定部中心軸とが、交差する位置よりも、筆具先端方向を下向きとした場合に、上方にあるものである。このように、前記把持部及び前記支持補助部と、前記筆具固定部とが連結される位置が、前記把持部中心軸に直交し且つ前記支持補助部に支持される前記筆具使用者の合谷を通過する線分と、前記筆具固定部中心軸とが、交差する位置よりも、筆具先端方向を下向きとした場合に、上方にあることから、前記筆具使用者の手が、前記把持部を握った際に前記筆具固定部に接触しないこととなり、前記筆具使用者の手に物が当たることによる使用感の低下が無い状態で、しっかりと前記把持部を握ることができ、さらに快適な筆記動作の使用感を得ることができる。
【００１４】
本願に開示する筆具補助装置は、必要に応じて、前記支持補助部が、筆具使用者の合谷と当接する面が切欠形状から成る切欠部を有するものである。このように、前記支持補助部が、筆具使用者の合谷と当接する面が切欠形状から成る切欠部を有することから、当該切欠部により前記筆具使用者の手の合谷に対して快適なフィット感が得られることとなり、特に、疾患等により関節形状が突出変形した筆具使用者であっても、特に手のＭＰ関節が圧迫されないこととなり、快適なフィット感を得ることができ、より快適な筆記動作の使用感を得ることができる。
【００１５】
本願に開示する筆具補助装置は、必要に応じて、前記把持部に重心位置を呈する重りを把持部内部に収容するものである。このように、前記把持部が、重りを内部に収容することから、前記筆具使用者が前記把持部を握った際に、手掌内の前記把持部に重心が常に与えられることとなり、常に動きのある筆記動作における揺れやぐらつきが抑えられて、筆記動作の安定性が増し、より快適な筆記動作の使用感を得ることができる。特に、重りを把持部内で可動自在に配置すると、把持部に鉛直方向下向きの重さが与えられることになり、この把持部に連接された支持補助部は、合谷部分と密接しやすくなり、より一層安定した把持状態が得られる。
【００１６】
本願に開示する筆具補助装置は、必要に応じて、前記把持部が、涙滴形状を有するものである。このように、前記把持部が、涙滴形状を有することから、前記筆具使用者が前記把持部を握った際に形成される握り手の手掌内形状に、より適合し易くなることとなり、握った際の握り易さ及び快適性が向上し、より安定的に快適な筆記動作の使用感を得ることができる。
【００１７】
本願に開示する筆具補助装置は、必要に応じて、前記筆具固定部が、前記筆具に対して、着脱可能であるものである。このように、前記筆具固定部が、前記筆具に対して、着脱可能であることから、様々な種類の筆具に対して利用できることとなり、前記筆具使用者が使いたい筆具を適宜選んで交換することができ、使い勝手の良いものとなり、利便性を向上させることができる。
【図面の簡単な説明】
【００１８】
【図１】本発明の第１の実施形態に係る筆具補助装置の構成図、及び筆具補助装置を使用する筆具使用者の手についての説明図を示す。
【図２】本発明の第２の実施形態に係る筆具補助装置の構成図を示す。
【図３】本発明の第３の実施形態に係る筆具補助装置の構成図を示す。
【図４】本発明の第３の実施形態に係る筆具補助装置の使用状態を表す説明図を示す。
【図５】本発明の第４の実施形態に係る筆具補助装置の構成図を示す。
【図６】本発明の第４の実施形態に係る筆具補助装置の正面図、側面図、及び上面図を示す。
【図７】本発明の第４の実施形態に係る筆具補助装置の使用状態を表す説明図を示す。
【図８】本発明の第５の実施形態に係る筆具補助装置の構成図を示す。
【発明を実施するための形態】
【００１９】
（第１の実施形態）
本願の第１の実施形態に係る筆具補助装置を、上記図１に従い説明する。
【００２０】
第１の実施形態に係る筆具補助装置は、図１（ａ）に示すように、筆具１００を固定支持する筆具固定部１（筆ホルダー部）と、この筆具固定部１に連結され、筆具使用者が手で把持する把持部２（グリップ部）と、筆具使用者が把持部２を把持した際に、筆具使用者の手の甲側合谷部分に当接して支持する支持補助部３（サブプレート部）とを備え、この把持部２の把持中心軸が筆具固定部１に対して、筆具先端方向に鋭角となるように連結される構成である。
【００２１】
本実施形態に係る筆具補助装置を構成する材質としては、特に限定されないが、ＡＢＳ、ＰＥ、ＰＰなどの汎用性合成樹脂のものの他、天然ゴムや合成ゴムのような加硫ゴムやウレタンゴム、シリコーンゴム、フッ素ゴムのような熱硬化性樹脂系エラストマが適し、更にスチレン系、塩ビ系、ウレタン系などの熱可塑性エラストマなどが好ましい。より好ましくは、シリコーンを主成分とする合成樹脂（シリコーンゴム）である。この場合、シリコーンゴム特有の柔らかさによって、より筆具使用者の手に優しい使用感と、高い耐久性が実現される。
【００２２】
特に、筆具固定部１は弾性伸縮性を持たせることが好ましく、筆具１００の軸サイズに合わせて弾性変化して保持することが可能となり、様々な軸サイズの筆具１００に対して幅広く適用可能となる。すなわち、筆具１００は、デザインにより様々な太さのものがあり、さらには装飾的表面処理されたものもあり、これらの多種多様な筆具１００に対して、筆具１００が持つしなやかさ及び運筆性能を阻害することなく、固定できるフレキシブルな保持構造を有する筆具固定部１を形成することができる。
【００２３】
筆具１００に対する固定については、特に限定されず、例えば、筆具固定部１に筆具１００を挿通させて固定させることができ、この他にも、筆具固定部１に長手方向に沿った開閉面を有することにより、筆具固定部１の開閉面を開放後に筆具１００を収納し、その後に筆具固定部１の開閉面を閉じることにより、固定させることも可能である。
【００２４】
この把持部２は、その把持中心軸が筆具固定部１に対して、筆具先端方向に鋭角となるように連結される構成であり、この鋭角が示す角度としては、鋭角であれば特に限定されないが、好ましくは、０°より大きく４５°以下であり、例えば、３０°とすることができ、筆具使用者の握り手の小指側から下方に向かった位置に筆具先端が存在し、弱い力であっても握った手を動かすのみによって、筆記動作を行える感覚が簡易に得られる。
【００２５】
この点において、従来の筆具補助装置（例えば上述の特許文献１）のようなピストル形状では、人指し指で指差す方向に筆具先端が存在することから、異なる構成であり、またこの構成では、人指し指で指差すようなかたちを維持し固定するために、手（特に親指および人指し指）にある程度の強さの力を維持する必要があるが、本実施形態に係る筆具補助装置では、この支持補助部３が、手の合谷部分によって、安定して支えられることになり、従来よりも弱い力で、手を軽く握ったままで、筆記動作を行えるという優れた効果が得られる。
【００２６】
この支持補助部３としては、親指と人差指の付け根部分にまたがって当接する広さを持っていれば形状は特に限定されないが、つば状に拡開した形状が好ましく、このつば形状によって、筆具使用者の手に載置するだけで十分な安定感が得られ、快適なフィット感を得ることができる。また、支持補助部材３は、運筆時の握り力に耐えるような頑強な強度は必要なく、軽量化のために貫通孔を開けたり、発泡性樹脂で形成することが出来る。さらに、扇子の骨のように放射状に広がる構成でも可能である。
【００２７】
筆具１００としては、一般的な筆具であれば特に限定されず、例えば、ペン、ボールペン、筆ペン、鉛筆、万年筆、毛筆などが挙げられる。
【００２８】
また、筆具使用者の手の合谷部分とは、図１（ｂ）で示されるように、親指と人差し指の関節の付け根近傍の領域Aである。また、図１（ｂ）では、中手指節間関節であるＭＰ関節（metacarpophalangeal joint）として、指の第3関節の領域Bを示している。
【００２９】
このように、本実施形態に係る筆具補助装置は、筆具１００を固定支持する筆具固定部１と、この筆具固定部１に連結され、筆具使用者が手で把持する把持部２と、筆具使用者が把持部２を把持した際に、筆具使用者の手の合谷部分に当接して支持する支持補助部３とを備え、この把持部２の把持中心軸が筆具固定部１に対して、筆具先端方向に鋭角となるように連結されるものである。このように、この把持部２の把持中心軸が筆具固定部１に対して、筆具先端方向に鋭角となり、且つ、筆具使用者の手の合谷部分が、この支持補助部３により支持されることから、筆具使用者が単に手を握った状態でしっかりと固定されることとなり、筆具使用者にとって、握り易く、単に手を握った状態のみによって、安定的に筆記動作を行えることができる。
【００３０】
筆具使用者としては、特に限定されないが、特に、リウマチ等の疾患により手の形状が変形したり、手に力の入らない方々を対象とすることができ、このように筆記を行いたくても満足に行えないような方々に対しても、各種の筆具１００を簡単に使えるように補助できることとなり、筆記を行いたいという欲求を満足させることが可能となる。
【００３１】
また、本実施形態に係る筆具補助装置は、好ましくは、この把持部２が、涙滴形状を有するものである。涙滴形状とは、涙の雫の形状のように、下方に向かって立体的な膨らみが次第に大きくなり、膨らみが極大となった地点からは、立体的な膨らみが、これまでとは逆転して、一点に向かって、次第に小さく収束する形状である。
【００３２】
このように、この把持部２が、涙滴形状を有することによって、筆具使用者がこの把持部２を握った際に形成される握り手の手掌内空間形状に対して、より適合し易くなる（収容されやすくなる）こととなり、握った際の握り易さ及び快適性が向上し、より安定的に快適な筆記動作の使用感を得ることができる。
また、把持部２を支持補助部３に対し交換自在とすれば、把持部２のサイズや重さを複数種類用意して、手のサイズや運筆力に応じて選択することが出来る。
【００３３】
（第２の実施形態）
本願の第２の実施形態に係る筆具補助装置を、上記図２に従い説明する。
【００３４】
第２の実施形態に係る筆具補助装置は、上記第１の実施形態と同様に、前記筆具固定部１と、前記把持部２と、前記支持補助部３とを備え、さらに、図２に示すように、  この支持補助部３が、筆具使用者の合谷と当接する面が切欠形状から成る切欠部３ａを有する構成である。切欠部３ａの切欠形状としては、支持補助部３の合谷対向下面に、突出変形関節との干渉を逃げるように肉盗み状に凹入する滑らかな斜面形状とすることもできる。
【００３５】
このように、この支持補助部３が、筆具使用者の合谷と当接する面が切欠形状から成る切欠部３ａを有することから、この切欠部３ａにより筆具使用者の手の合谷に対して快適なフィット感が得られることとなり、快適なフィット感を得ることができ、より快適な筆記動作の使用感を得ることができる。
【００３６】
（第３の実施形態）
本願の第３の実施形態に係る筆具補助装置を、上記図３及び図４に従い説明する。
【００３７】
第３の実施形態に係る筆具補助装置は、上記第１の実施形態と同様に、前記筆具固定部１と、前記把持部２と、前記支持補助部３とを備え、図３に示すように、この把持部２の把持中心軸が筆具固定部１に対して、筆具先端方向とのなす角θ１は、鋭角となるように連結され、さらに、この支持補助部３が、この支持補助部３中心軸とこの把持部２中心軸とのなす角θ２が８０°〜１００°の角度で連結されている構成である。
【００３８】
このなす角θ２は、８０°〜１００°であれば特に限定されないが、好ましくは９０°であり、より手に適合しやすい形状になると共に、設計上や金型製作上においても、容易に対応できるという利点がある。
【００３９】
また、本実施形態に係る筆具補助装置は、図４に示すように、前記筆具固定部１において筆具使用者の手（特に人差し指）が当接する箇所を切欠いた本体切欠部１ａを備えることが好ましい。この本体切欠部１ａの切欠形状としては、平滑な斜面形状とすることができ、より好ましくは、筆具先端方向に向かって、筆具１００に徐々に近付いていく斜面を形成することである。
【００４０】
この本体切欠部１ａによって、特に、疾患等により関節形状が曲りや突出変形した筆具使用者であっても、特に握り手の人差し指が当接する領域が確実に確保されることによって、快適なフィット感を得ることができ、より快適な筆記動作の使用感を得ることができる。
【００４１】
このように、この支持補助部３が、この支持補助部３中心軸とこの把持部２中心軸とが８０°〜１００°の角度で連結されていることから、筆具使用者がこの把持部２を握った際の手の合谷の位置が、この支持補助部３の面に対して当接することとなり、筆具使用者の手が固定され易くなり、握った際のフィット感を高められ、筆具使用者にとって、握り易く、安定的に筆記動作を行えることができる。
【００４２】
（第４の実施形態）
本願の第４の実施形態に係る筆具補助装置を、上記図５〜図７に従い説明する。
【００４３】
第４の実施形態に係る筆具補助装置は、上記第１の実施形態と同様に、前記筆具固定部１と、前記把持部２と、前記支持補助部３とを備え、さらに、図５に示すように、この把持部２及びこの支持補助部３と、この筆具固定部１とが連結される位置Cが、この把持部２中心軸（線分L）に直交し（角度θ３）且つこの支持補助部３に支持される筆具使用者の合谷Aを通過する線分Mと、この筆具固定部１中心軸（線分N）とが、交差する位置Pよりも、筆具先端方向を下向きとした場合に、上方にある構成である。
【００４４】
本実施形態に係る筆具補助装置は、正面および側面から見た場合には、図６（ａ）に示すように、把持部２が、手掌内空間（図７に符号Ｄで示す）に似た涙滴形状を有しており、筆具使用者の手に握り易い形状であることが示される。また、上面から見た場合には、図６（ｂ）に示すように、支持補助部３として、つば状に拡開した形状を有すると共に、筆具使用者の合谷と当接する面が切欠形状から成る切欠部３ａを有していることが示される。
【００４５】
このような形状によって、本実施形態に係る筆具補助装置は、図７に示すように、筆具使用者が、握り易い形状の把持部２を掌で握るだけで、筆具使用者の手（特に合谷部分）に支持補助部３が自然に載置されることとなり、十分な安定感が簡易に得られ、快適で心地良いフィット感を得ることができる。
【００４６】
このように、この把持部２及びこの支持補助部３と、この筆具固定部１とが連結される位置が、この把持部２中心軸に直交し且つこの支持補助部３に支持される筆具使用者の合谷を通過する線分と、この筆具固定部１中心軸とが、交差する位置よりも、筆具先端方向を下向きとした場合に、上方にあることから、筆具使用者の手が、この把持部２を握った際にこの筆具固定部１に接触しないこととなり、筆具使用者の手に物が接触することによる使用感の低下が無い状態（ストレスの無い状態）で、しっかりとこの把持部２を握ることができ、さらに快適な筆記動作の使用感を得ることができる。
【００４７】
（第５の実施形態）
本願の第５の実施形態に係る筆具補助装置を、上記図８に従い説明する。
【００４８】
第５の実施形態に係る筆具補助装置は、上記第１の実施形態と同様に、前記筆具固定部１と、前記把持部２と、前記支持補助部３とを備え、さらに、図８に示すように、この把持部２が、重り２ａを内部に収容する構成である。この重り２ａは、把持部２の成形材よりも高比重の金属製のものでも良く、樹脂製のものでもよい。また、把持部２自体を他の部材より重くして、重心が把持部２に位置するように設定することも可能である。
なお、把持部２内に空間を設け、この空間内で重り２ａが自在に動いて位置変化が出来るように配置することにより、把持部２の握り角度に応じて、この補助装置は鉛直方向に付勢される。
【００４９】
このように、この把持部２が、重り２ａを内部に収容することから、筆具使用者がこの把持部２を握った際に、この把持部２に鉛直方向下向きの重さが常に与えられることとなり、常に動きのある筆記動作における揺れやぐらつきが抑えられて、筆記動作の安定性が増し、より快適な筆記動作の使用感を得ることができる。
【００５０】
また、この重り２ａを可動性の重りとした場合、重心を保つ設計とすることによって、本実施形態に係る筆具補助装置を使用しない場合であっても、ペン立てのような補助的な支え無しに、自立的に立ち上がった位置を維持することができ、使用しない場合における外観的にも見栄えのある優れたものとなる。
【００５１】
（その他の実施形態）
なお、上記の各実施形態において、筆具補助装置は、筆具１００に対して固定されたままでもよいが、着脱可能であってもよい。すなわち、本願のその他の実施形態に係る筆具補助装置としては、上記各実施形態と同様に、前記筆具固定部１と、前記把持部２と、前記支持補助部３とを備え、さらに、この筆具固定部１が、筆具１００に対して、着脱可能である構成とすることができる。
【００５２】
このように、この筆具固定部１が、筆具１００に対して、着脱可能であることから、様々な種類やサイズの筆具１００に対して利用できることとなり、筆具使用者が使いたい筆具１００を適宜選んで交換することができ、使い勝手の良いものとなり、利便性を向上させることができる。
【符号の説明】
【００５３】
１  筆具固定部
１ａ  本体切欠部
２  把持部
２ａ  重り
３  支持補助部
３ａ  切欠部
１００  筆具
【図１】
2018187886.tif 000003
【図２】
2018187886.tif 000004
【図３】
2018187886.tif 000005
【図４】
2018187886.tif 000006
【図５】
2018187886.tif 000007
【図６】
2018187886.tif 000008
【図７】
2018187886.tif 000009
【図８】
2018187886.tif 000010